(57)【要約】      （修正有）【課題】視覚障害のある人や盲人の人が、階段の各段の段落差点や階段の始まりや始まりの手前や、踊り場の手前や踊り場の終わりや、階段の終わりや終わりの手前が手摺りの触感突起等により利用者の手で判りやすく事前に知ることができ、階段や段差のある危険な場所でも安全で安心して歩行できる手摺りを提供する。【解決手段】階段や傾斜路やスロープや傾斜路階段の少なくとも片側に沿って設けた手摺り１において、階段の各落差点に対応する箇所に前後位置からでもその存在を知らせることのできる触感突起２を既存の手摺りに後から取り付ける。既存、新設を問わずに設けることができるために、どのような手摺りにも直ちに対応することができる。【選択図】        図１
2005105564.tif 000002
【特許請求の範囲】
【請求項１】
階段や傾斜路やスロープや傾斜路階段の少なくとも片側に沿って設けた手摺りにおいて、階段の各落差点に対応する箇所に前後位置からでもその存在を知らせることのできる触感突起を設けたことを特徴とする手摺り。
【請求項２】
階段や傾斜路やスロープや傾斜路階段の少なくとも片側に沿って設けた手摺りにおいて、階段の所望の段に対応する箇所にその段の存在を知らせる触感突起を設けたことを特徴とする手摺り。
【請求項３】
請求項２において、上下最終段に対応する箇所にその段の存在を知らせる触感突起を設けたことを特徴とする手摺り。
【請求項４】
請求項２において、上下最終段の手前の段に対応する箇所にその段の存在を知らせる触感突起を設けたことを特徴とする手摺り。
【請求項５】
請求項２において、踊り場の上下最終段に対応する箇所にその段の存在を知らせる触感突起を設けたことを特徴とする手摺り。
【請求項６】
請求項２において、踊り場の上下最終段の手前の段に対応する箇所にその段の存在を知らせる触感突起を設けたことを特徴とする手摺り。
【請求項７】
請求項１または請求項２において、任意の触感突起を他の触感突起と変えたことを特徴とする手摺り。
【請求項８】
請求項１または請求項２において、触感突起を帯状体に形成し、その帯状体を手摺りに巻き付けるようにして取り付けたことを特徴とする手摺り。
【請求項９】
請求項１または請求項２において、触感突起を板状体に形成し、その板状体を手摺りに取り付けたことを特徴とする手摺り。
【請求項１０】
請求項１または請求項２において、触感突起を手摺りに直接形成したことを特徴とする手摺り。
【請求項１１】
請求項１、請求項２、請求項３、請求項４、請求項５、請求項７または請求項１０において、環状に凹凸を手摺りに直接形成し、触感突起の形状体や凹凸のウエーブ形の形状体の数なども１つ以上形成したことを特徴とする手摺り。
【発明の詳細な説明】
【技術分野】
【０００１】
本発明は、階段、傾斜路、スロープ、傾斜路階段および壁沿に設けた手摺りにおいて、視覚障害者や盲人に適応させた手摺りに関する。
【背景技術】
【０００２】
【特許文献１】特開平１０―５７４３３号公報  視覚障害者や盲人が階段を上り下りする際に、階段の始まりと終わりが分からないでつまずいたり空足を踏んでしまうことがあり、転倒や転落事故の原因となる。そこで、手摺りの端部にエンドサイン部と点字による位置表示を設けた技術がある(例えば特許文献１参照。)。
【発明の開示】
【発明が解決しようとする課題】
【０００３】
そこで、床や道路には視覚障害者や盲人案内用の点字ブロックが貼ってある。
しかし、それでは完全ではない、しかも階段の各段には貼られていない場所が多く、階段を下って来た場合にはその終了段が判らず、つまずいたり空足を踏んだりすることがある。
また、エンドサイン部は手摺りの端部を曲折して形成するもので、階段の最下段にならなければ判らず、事前に最下段が判らないもので、これも階段を下りる場合には具合が悪いという問題がある。
【課題を解決するための手段】
【０００４】
そこで本発明は、手摺りの階段の各段落差点に対応した箇所に、視覚障害者や盲人に階段の段落差点の存在を知らせる触感突起を設けたことを特徴とする。
また、手摺りの階段の所望の段落差点や段落差点前後に対応する箇所に、視覚障害者や盲人に階段の段落差点の存在を知らせる触感突起を設けたことを特徴とする。
【発明の効果】
【０００５】
以上詳細に説明した本発明によると、手摺りの各階段毎もしくは所望の箇所、例えば上下最終段やその手前の段に対応する箇所にその段の段落差点の存在を知らせる触感突起を設けたことにより、盲人、視覚障害をもつ人がその手摺りに手をすべらせながら階段を上がり下りすることにより、階段の始まりや終わり、また、踊り場にさしかかったりすることを事前に知ることができ、つまずいたり空足を踏んだりすることがなくなる。
また、段の段落差点が不明瞭なことで起こる転倒や階段からの落下事故などの不測の事故が未然に防ぐことができる効果を有する。
また、既存、新設を問わずに設けることができるために、どのような手摺りにも直ちに対応することができる効果を有する。
【発明を実施するための最良の形態】
【０００６】
以下に本発明の実施の形態例を図面を用いて説明する。
図１、図２は手摺りに設けた状態の説明図である
図において、１は手摺りである。２はこの手摺り１に取り付けた触感突起であり、階段の一段一段毎の対応する箇所に取り付けてある。
また、各一段一段毎のすべての段毎ではなく次のような所でもよい。
それは、階段の最上下段および／もしくはそれらの手前の段、さらに踊り場の最上下段および／もしくはそれらの手前の段の対応する箇所である。
さらには、必要に応じた任意の箇所である。
その取り付け状態例としては、図１に示す如く、帯状体３に触感突起２を突出形成し、その帯状体３を手摺り１の所定箇所に巻き付けるようにして取り付ける。
その固定状態は、接着でもよく、また、端部をねじや鋲によって固定して取り付けてもよい。
この触感突起２は、帯状体３に１つでもよいが２つ以上の複数形状や一本の連続した環状の突条等どのようなものでもよい。
また、触感突起２の手摺り１に対する突出位置は、手摺り１の下側、側面、上面のどこでもよく、通常は手で手摺り１を擦りながら進むために手摺り１の、視覚障害者や盲人の人の手のひらで擦りやすい場所に位置しているとよい。
図面は説明のために下側に位置して表してある。取り付け位置は限定しない。
この触感突起２は、上記の如く図示するような形状に限らずどのような形状でもよいが、さらに、取り付ける段によって形状や大きさを変えて、その段がどの段であるか判るようにするとよい。
例えば、最終段の一つ手前の段であることを示すために形状や大きさを変えて、その段であることを判らせることができることによって、最終段を事前に知って安全性を一層高めることができる。
また、触感突起２は、例えば、最終段や最終段の一つ手前の段に対応する箇所はその形状や大きさを変えておいてもよく、それによってこれが最終段であることや最終段の一つ手前の段であることを知ることができる。
踊り場における最終段や最終段の一つ手前においても同様である。
上記構成において、帯状体３は図３に示す如く、任意の形状の板状態４でもよく、この板状体４を手摺りに接着でもよく、また、端部をねじや鋲によって固定して取り付けてもよい。
また、図４に示す如く、触感突起２に直接鋲やねじ５を取り付け、手摺り１に設けた穴やねじ穴等に嵌合させて取り付ける構造であってもよいし、ねじ穴を設けてねじによって手摺り１に設けたねじ穴に螺合させて取り付けてもよい。
要するに、触感突起２が手摺り１に取り付けられればどのような構造でもよく、また、触感突起２の形状も上記の如く、任意の形状でよいが、統一されて用いられることにより利用者に混乱が生じないことになる。
つぎに、新設の手摺りの場合は、上記構造の触感突起１を取り付ける他に、直接手摺り1に触感突起２を形成することも可能であり、触感突起２が触感凹凸部としてもまったく同様である、さらに、手摺り１の周囲に溝を形成したり、上記、同様に連続した環状の突条を形成してもよい。
さらには、手摺り１の周囲に溝を形成したり、ウエーブ形の曲線状凹凸を手摺りに直接形成したり、触感突起の形状体や凹凸のウエーブ形の形状体の数なども１つ以上作ることにより、段落差点前後にもマーカー的な触感体を作ることにより、視覚障害者や盲人等が階段の段差落差点がより事前に判り、階段の踏み外しがなくなり、転倒事故、落下事故を未然に防ぐ事ができる。  
さらに、既存、新設にかかわらず、触感突起１に直接もしくは隣接して点字によって所望の内容を表示するようにしてもよい。
なお、上記説明は、階段の手摺りにおいて説明したが、傾斜路(道路、歩道)、スロープ、傾斜路階段、壁沿い等に設けた手摺りにおいても同様であり、すべての手摺りが本発明の手摺りの概念にはいる。
【図面の簡単な説明】
【０００７】
【図１】触感突起の取り付け状態を示す説明図
【図２】触感突起の取り付け状態を示す拡大説明図
【図３】触感突起の他の形状例の説明図
【図４】触感突起の他の形状例の説明図
【図５】新設手摺りの凹凸形環状触感突起の他の形状例の説明図
【符号の説明】
【０００８】
１：  手摺り
２：  触感突起
３：  帯状体
４：  板状体
５：  凹凸形環状触感突起
【図１】
2005105564.tif 000003
【図２】
2005105564.tif 000004
【図３】
2005105564.tif 000005
【図４】
2005105564.tif 000006
【図５】
2005105564.tif 000007
【手続補正書】
【提出日】平成15年12月4日(2003.12.4)
【手続補正１】
【補正対象書類名】特許請求の範囲
【補正対象項目名】全文
【補正方法】変更
【補正の内容】
【特許請求の範囲】
【請求項１】
階段や傾斜路やスロープや傾斜路階段の少なくとも片側に沿って設けた手摺りにおいて、階段の段落差点及び段落差点前後の対応する箇所に前後位置から該段落差点の存在を知らせることのできる触感突起を設けたことを特徴とする手摺り。
【請求項２】
請求項１において、任意の触感突起を他の触感突起と変えたことを特徴とする手摺り。
【請求項３】
請求項１において、触感突起を帯状体に形成し、その帯状体を手摺りに巻き付けるようにして取り付けたことを特徴とする手摺り。
【請求項４】
請求項１において、触感突起を板状体に形成し、その板状体を手摺りに取り付けたことを特徴とする手摺り。
【請求項５】
請求項１において、触感突起を手摺りに直接形成したことを特徴とする手摺り。
【請求項６】
請求項１、請求項２、または請求項５において、環状に凹凸を手摺りに直接形成し、触感突起の形状体や凹凸のウエーブ形の形状体の数なども１つ以上形成したことを特徴とする手摺り。